(57)【要約】【課題】ＧＰＳ情報を取得せずに、現在位置情報を表示できる。【解決手段】地図表示装置は、現在位置を表示する位置情報を、現在時刻を表す時刻情報と関連付けて繰り返し生成できる位置情報生成部と；ユーザ操作部と；画像表示部と；制御部と、を備え、前記ユーザ操作部を介して、現在位置の周辺の地図を前記画像表示部に表示する指示があった場合に、前記制御部は、（ｉ）前記位置情報生成部により最後に生成された時刻情報が表す時刻からの経過時間が、所定時間以内の場合は、最後に生成した位置情報が表す地点の周辺の地図を前記画像表示部に表示することができ、（ｉｉ）前記所定時間以上の場合は、日常圏の情報と、現在時刻と、に基づいて定められた地図を、前記画像表示部に表示することができる。【選択図】図３
2014106170.tif 000002
【特許請求の範囲】
【請求項１】
地図表示装置であって、
現在位置を表示する位置情報を、現在時刻を表す時刻情報と関連付けて繰り返し生成できる位置情報生成部と、
ユーザにより操作されるユーザ操作部と、
画像を表示する画像表示部と、
制御部と、を備え、
前記ユーザ操作部を介して、現在位置の周辺の地図を前記画像表示部に表示する指示があった場合に、前記制御部は、
（ｉ）前記位置情報生成部により最後に生成された時刻情報が表す時刻からの経過時間が、所定時間以内の場合は、
最後に生成した位置情報が表す地点の周辺の地図を前記画像表示部に表示することができ、
（ｉｉ）前記経過時間が、前記所定時間以上の場合は、
過去に前記ユーザが位置した領域の情報と、前記領域に前記ユーザが位置した時間区分ごとの頻度の情報とが対応付けられて含まれている日常圏の情報と、
現在時刻と、に基づいて定められた地図を、前記画像表示部に表示することができる、地図表示装置。
【請求項２】
請求項１に記載の地図表示装置であって、
前記日常圏の情報は、前記地図表示装置との間でデータ通信を行うことができる外部サーバに保存されている、地図表示装置。
【請求項３】
請求項１または請求項２に記載の地図表示装置であって、
前記日常圏の情報は、前記ユーザの識別情報と対応付けて格納されている情報である、地図表示装置。
【請求項４】
請求項１から請求項３までのいずれか一項に記載の地図表示装置であって、
前記日常圏の情報は、前記日常圏を特定するための文字情報を含み、
前記制御部は、
前記日常圏の情報に基づいて表示された地図が現在位置周辺の地図であるか否かの入力を前記ユーザに促す確認画像を、前記画像表示部に表示し、
前記日常圏の情報に基づいて表示された地図は、現在位置でない旨の入力が前記ユーザ操作部を介してなされた場合に、
他の複数の前記日常圏を表す文字情報を前記画像表示部に表示して、前記日常圏の選択を促す画像を表示し、
前記ユーザ操作部を介して選択された日常圏に応じた地図を表示する、地図表示装置。
【請求項５】
請求項４に記載の地図表示装置であって、
前記複数の前記日常圏を表す文字情報は、前記日常圏の情報が含む前記頻度の情報に基づいて、現在位置である確率の高い順番に前記画像表示部に表示される、地図表示装置。
【請求項６】
請求項１から請求項５までのいずれか一項に記載の地図表示装置であって、
前記日常圏の情報は、前記位置情報生成部が生成した過去の位置情報と時刻情報から生成される、地図表示装置。
【請求項７】
現在位置を地図上に表示する地図表示方法であって、
（ａ）位置情報生成部を使用して、現在位置を表示する位置情報を、現在時刻を表す時刻情報と関連付けて繰り返し生成する工程と、
（ｂ）ユーザから、現在位置を画像表示部に表示する指示があったことを含む第１の条件が満たされた場合に、前記画像表示部に画像を表示する工程であって、
（ｉ）前記工程（ａ）により最後に生成された時刻情報が表す時刻からの経過時間が、所定時間以内の場合は、
最後に生成した位置情報が表す地点の周辺の地図を前記画像表示部に表示し、
（ｉｉ）前記経過時間が、前記所定時間以上の場合は、
過去に前記ユーザが位置した領域の情報と、前記領域に前記ユーザが位置した時間区分ごとの頻度の情報とが対応付けられて含まれている日常圏の情報と、
現在時刻と、に基づいて定められた地図を、前記画像表示部に表示する工程と、を備える、方法。
【請求項８】
コンピュータに現在位置を地図上に表示させるためのコンピュータプログラムであって、
（ａ）位置情報生成部を使用して、現在位置を表示する位置情報を、現在時刻を表す時刻情報と関連付けて繰り返し生成する機能と、
（ｂ）ユーザから、現在位置を画像表示部に表示する指示があったことを含む第１の条件が満たされた場合に、前記画像表示部に画像を表示する機能であって、
（ｉ）前記機能（ａ）により最後に生成された時刻情報が表す時刻からの経過時間が、所定時間以内の場合は、
最後に生成した位置情報が表す地点の周辺の地図を前記画像表示部に表示し、
（ｉｉ）前記経過時間が、前記所定時間以上の場合は、
過去に前記ユーザが位置した領域の情報と、前記領域に前記ユーザが位置した時間区分ごとの頻度の情報とが対応付けられて含まれている日常圏の情報と、
現在時刻と、に基づいて定められた地図を、前記画像表示部に表示する機能と、を前記コンピュータに実現させる、コンピュータプログラム。
【発明の詳細な説明】
【技術分野】
【０００１】
本発明は、地図表示を行う技術に関する。
【背景技術】
【０００２】
従来、ナビゲーションシステムにおいて、経路案内は行わずに地図情報のみを表示させる場合がある。この場合、積極的にＧＰＳ測位を行わなければ、現在位置の情報は取得されない。ビルの谷間や地下にユーザがいる場合、ＧＰＳ情報の取得は困難であるため、GPS情報の取得に時間がかかる場合がある。この場合、ＧＰＳ情報の取得に時間がかかるほど消費電力が嵩む。このため、特に携帯電話を用いている場合には、バッテリーの容量が少ないため、過度な電力消費は好ましくない。
【０００３】
ところで、特許文献１の技術においては、カーナビゲーションシステムにおいて、自動車のイグニッション・スイッチが前回のオフ操作で停止した位置を記憶しておき、イグニッション・スイッチがオン操作されたときに、ＧＰＳによらず現在位置としている。
【先行技術文献】
【特許文献】
【０００４】
【特許文献１】特開２００５−３２１４０７号公報
【発明の概要】
【発明が解決しようとする課題】
【０００５】
しかし、特許文献１の技術において、イグニッション・スイッチをオフとした場所の情報のみを蓄積しており、移動中の位置情報は取得していない。このため、駐車スペース以外に転用できないという問題があった。また、特許文献１の技術においては、カーナビゲーションを念頭においたシステムである。このため、消費電力量の問題は考慮されていない。このような問題は、位置情報を特定する際に広く生じうる。その他、従来の端末においては、例えば、処理負担の軽減や、サーバ装置との通信量の削減などが望まれている。
【課題を解決するための手段】
【０００６】
本発明は、上記の課題の少なくとも一部を解決するためになされたものであり、以下の形態として実現することができる。
【０００７】
（１）本発明の一形態によれば、地図表示装置が提供される。この地図表示装置は；現在位置を表示する位置情報を、現在時刻を表す時刻情報と関連付けて繰り返し生成できる位置情報生成部と；ユーザにより操作されるユーザ操作部と；画像を表示する画像表示部と；制御部と、を備え、前記ユーザ操作部を介して、現在位置の周辺の地図を前記画像表示部に表示する指示があった場合に、前記制御部は、（ｉ）前記位置情報生成部により最後に生成された時刻情報が表す時刻からの経過時間が、所定時間以内の場合は、最後に生成した位置情報が表す地点の周辺の地図を前記画像表示部に表示することができ、（ｉｉ）前記経過時間が、前記所定時間以上の場合は、過去に前記ユーザが位置した領域の情報と、前記領域に前記ユーザが位置した時間区分ごとの頻度の情報とが対応付けられて含まれている日常圏の情報と、現在時刻と、に基づいて定められた地図を、前記画像表示部に表示することができる。このため、上記のような態様とすれば、ＧＰＳによる測位を行わずに、現在位置周辺の地図を表示することができる。なお、「日常圏」とは、ユーザが頻繁に訪れる場所やその周辺などのユーザの生活圏をいう。
【０００８】
（２）上記形態の地図表示装置において、前記日常圏の情報は、前記地図表示装置との間でデータ通信を行うことができる外部サーバに保存させてもよい。このような形態の地図表示装置であれば、地図表示装置のデータ容量を削減できる。
【０００９】
（３）上記形態の地図表示装置において、前記日常圏の情報は、前記ユーザの識別情報と対応付けて格納されている情報としてもよい。このような形態の端末装置であれば、複数のユーザ情報を個別に保存することができる。
【００１０】
（４）上記形態の地図表示装置は、前記日常圏の情報は、前記日常圏を特定するための文字情報を含み、前記制御部は、前記日常圏の情報に基づいて表示された地図が現在位置周辺の地図であるか否かの入力を前記ユーザに促す確認画像を、前記画像表示部に表示し、前記日常圏の情報に基づいて表示された地図は、現在位置でない旨の入力が前記ユーザ操作部を介してなされた場合に、他の複数の前記日常圏を表す文字情報を前記画像表示部に表示して、前記日常圏の選択を促す画像を表示し、前記ユーザ操作部を介して選択された日常圏に応じた地図を表示するようにしてもよい。このような形態の地図表示装置であれば、ユーザの現在位置が初めに表示した位置情報と異なる場合であっても、現在の位置情報を表示しなおすことが可能となる。
【００１１】
（５）上記形態の地図表示装置は、前記複数の前記日常圏を表す文字情報は、前記日常圏の情報が含む前記頻度の情報に基づいて、現在位置である確率の高い順番に前記画像表示部に表示されるようにしてもよい。このような形態の地図表示装置であれば、ユーザの操作の手間を最小限に抑えることができる。
【００１２】
（６）上記形態の地図表示装置は、前記日常圏の情報は、前記位置情報生成部が生成した過去の位置情報と時刻情報から生成されるようにしてもよい。このような形態の地図表示装置であれば、ユーザが地図表示装置を携帯している間に、自動的に日常圏の情報を蓄積できる。
【００１３】
本発明は、地図表示装置以外の種々の態様で実現することが可能である。例えば、地図表示装置とサーバ装置とを含む経路案内システムや、経路案内方法、その方法を実現するためのコンピュータプログラム、そのコンピュータプログラムを記録した一時的でない記録媒体等の形態で実現することができる。
【図面の簡単な説明】
【００１４】
【図１】本実施形態における地図表示システムのハードウェア構成を示す図。
【図２】ある曜日における日常圏データベース１８６に格納された情報を示す説明図。
【図３】携帯電話２００が行う現在位置表示処理の流れを示したフローチャート。
【図４】表示パネル２０２の画面の一例を示す図。
【図５】表示パネル２０２の画面の一例を示す図。
【発明を実施するための形態】
【００１５】
Ａ．実施形態：
Ａ１．全体構成：
図１は、本実施形態における地図表示システムのハードウェア構成を示す図である。実施形態の地図表示システムは、地図情報サーバ１５０と、日常圏情報サーバ１８０と、携帯電話２００と、を含む。
【００１６】
携帯電話２００は、ＧＰＳユニット２０１と、表示パネル２０２と、音声出力部２０３と、振動機構２０４と、通信部２０５と、コマンド入力部２０６と、主制御部２１０と、通話制御部２２０とを有している。
【００１７】
ＧＰＳユニット２０１は、ＧＰＳ（Ｇｌｏｂａｌ Ｐｏｓｉｔｉｏｎｉｎｇ Ｓｙｓｔｅｍ／全地球測位システム）の衛星からの電波を受信するためのアンテナを含むユニットである。ＧＰＳのアンテナが受信する電波に基づいて、ＧＰＳユニット２０１は、携帯電話２００の現在位置を表す位置情報を生成することができる。また、ＧＰＳユニット２０１は、衛星からの電波に基づいて、現在時刻を表す時刻情報を生成することができる。
【００１８】
表示パネル２０２は、画像を表示することができる液晶ディスプレイである。表示パネル２０２は、表示している画像に応じてパネルの一部に接触されることにより、ユーザからの指示を受けとることができるタッチパネル２０６ａを備えている。具体的には、表示パネル２０２は、液晶ディスプレイの上にタッチパネル２０６ａが重ねられて構成される。ユーザは、たとえば、表示パネル２０２の表面を指で押したり、表示パネル２０２の表面に接触した状態で指を動かすことにより、画像の表示を制御するための操作を行うことができる。なお、本明細書において、「画像」とは、狭義の画像のほか、文字、記号等を含む概念である。
【００１９】
音声出力部２０３は、スピーカを含む装置であって、経路案内などのユーザへのメッセージやメロディなどを音声で出力できる装置である。振動機構２０４は、所定のパターンの振動によってユーザの注意を促すことができる装置である。
【００２０】
コマンド入力部２０６は、上記タッチパネル２０６ａと、ハードウェアとしてのカーソルキー２０６ｂとを含む。ユーザは、タッチパネル２０６ａだけでなく、カーソルキー２０６ｂの周辺部を押してカーソルを移動させ、カーソルキー２０６ｂの中央部を押してＯＮの操作を行うことによっても、携帯電話２００に情報を入力することができる。
【００２１】
通信部２０５は、通信ネットワークとしてのインターネットＩＮＴを介して、地図情報サーバ１５０や日常圏情報サーバ１８０と通信を行い、情報を送受信することができる。なお、通信ネットワークとしては、インターネットのほかにＬＡＮやＷＡＮ、公衆回線等がある。通話制御部２２０は、通話のための着信呼出、音声／電気信号の変換などを行う回路である。
【００２２】
主制御部２１０は、携帯電話２００の各部を制御するための制御ユニットである。主制御部２１０は、それらの制御に使用されるＣＰＵ２１１、ＲＡＭ２１２、ＲＯＭ２１３を備えている。主制御部２１０は、ＣＰＵ２１１でアプリケーションソフトウェアを実行することによって携帯電話２００の各部を制御する。主制御部２１０は、たとえば、ＧＰＳユニット２０１が生成した位置情報を含む所定の形式のデータを、通信部２０５を介して地図情報サーバ１５０に送信することができる。そして、主制御部２１０は、通信部２０５を介して地図情報サーバ１５０から受け取ったデータに基づいて、表示パネル２０２、音声出力部２０３、振動機構２０４を制御する。
【００２３】
地図情報サーバ１５０は、通信部１５２と、制御部１５４と、地図データベース１５６とを有する。通信部１５２は、インターネットＩＮTを介して携帯電話２００や日常圏情報サーバ１８０と通信を行うことができる。制御部１５４は、地図情報サーバ１５０の全体の動作を制御する。
【００２４】
地図データベース１５６には、携帯電話２００に供給する地図データがベクトル形式、ラスター形式等で記録されている。この地図データは、地形や建物、道路等の形状を表すデータを含む。制御部１５４は、携帯電話２００からの地図データの取得要求により、指定された範囲の地図データを地図データベース１５６から検索し、通信部１５２を介してその地図データを携帯電話２００に送信する。
【００２５】
日常圏情報サーバ１８０は、通信部１８２と、制御部１８４と、日常圏データベース１８６とを有する。通信部１８２は、インターネットＩＮTを介して携帯電話２００や地図情報サーバ１５０と通信を行うことができる。制御部１８４は、日常圏情報サーバ１８０の全体の動作を制御する。
【００２６】
日常圏データベース１８６には、日常圏設定処理により得られたユーザの日常圏の情報が時刻情報と携帯電話２００を識別することができる固有のＩＤ情報とに対応付けられて記録されている。制御部１８４は、携帯電話２００からの日常圏の情報の取得要求により、ユーザの日常圏の情報を日常圏データベース１８６から検索し、通信部１８２を介してその日常圏の情報を携帯電話２００に送信する。
【００２７】
日常圏の設定法を、以下に詳述する。日常圏の情報は、曜日単位に設けられた７組の情報から構成される。各組の時間の情報は、さらに、１日２４時間を３０分ごとの４８区分に分けられて、日常圏データベース１８６に格納されている。各区分には、その曜日のその時間帯において、ユーザが過去に位置した位置情報と、位置したときの時刻情報とが対応付けて格納されている。位置情報は、位置情報の示す地点を含むメッシュ領域のメッシュ番号と対応付けて日常圏データベース１８６に格納されている。
【００２８】
なお、「メッシュ番号」とは、メッシュ領域を一意に識別するための番号である。「メッシュ領域」とは、緯度および経度に基づいて地図を長方形状の小領域に分割した各領域を言う。メッシュ領域の中心地点における緯度および経度は、メッシュ領域における代表地点として、メッシュ番号と対応付けられて日常圏データベース１８６に格納されている。メッシュ番号は、「○町○丁目付近」という大まかな住所とも対応づけられて、日常圏データベース１８６に格納されている。
【００２９】
なお、メッシュ領域は、仕様や設計に応じて分割する領域のサイズを設定できる。例えば、日常圏としてユーザが頻繁に滞在するエリアを設定する場合は、領域のサイズを大きく設定できる。また、日常圏としてユーザが頻繁に訪れる店を設定する場合は、領域のサイズを小さく設定できる。
【００３０】
ユーザが過去に位置した位置情報と、位置したときの時刻情報は、携帯電話２００の主制御部２１０により、ＧＰＳユニットを介して衛星からの電波を受信し、所定時間の間隔をあけて繰り返し生成される。生成された位置情報と時刻情報は、毎回、主制御部２１０により通信部２０５を介して日常圏情報サーバ１８０に送信される。日常圏情報サーバ１８０の制御部１８４は、受信した情報を、毎回、時刻情報に基づいて上記区分に分類し、位置情報とメッシュ領域の位置情報に基づいて受信した情報を各メッシュ番号と対応付けて日常圏データベース１８６に格納する。
【００３１】
即ち、日常圏データベース１８６は、過去にユーザが位置した領域の情報と、その領域にユーザが位置した時間区分ごとの頻度の情報とが対応付けられて含まれている日常圏の情報を格納している。また、日常圏の情報は、ＩＤ情報と対応付けて、日常圏データベース１８６に格納されている。そして、日常圏の情報は、日常圏を特定するための文字情報を含む。
【００３２】
日常圏の設定により、携帯電話２００から通信部２０５を介して曜日と時間とを含む時刻情報を日常圏情報サーバ１８０が受信した場合、日常圏情報サーバ１８０の制御部１８４は、ユーザの位置する確率が最も高いメッシュ領域のメッシュ番号を一意に特定できる。具体的には、携帯電話２００の送信した曜日と時間とについて、過去の測位回数が最も多いメッシュ領域のメッシュ番号を、制御部１８４は特定する。なお、通勤時間帯など、ＧＰＳ情報の測位回数が測位閾値に達しない時間帯については、直近の区分でＧＰＳ情報の測位回数の閾値に達しているメッシュ領域を、ユーザが滞在している可能性が最も高いメッシュ領域とする。これにより、ユーザの位置する確率が高い場所について、一意に特定できる。
【００３３】
図２は、ある曜日における日常圏データベース１８６に格納された情報を示す説明図である。図２において、地点６０２は、自宅の位置情報を示す地点である。地点６０２は、メッシュ番号１１１１１１のメッシュ領域に含まれる。地点６０１は、メッシュ番号１１１１１１のメッシュ領域の中心地点である。地点６０１の緯度はＸ１で、経度はＹ１である。メッシュ番号１１１１１１は、「新宿○丁目付近」という大まかな住所とも対応付けられている。表６０５は、メッシュ番号１１１１１１のメッシュ領域にユーザが位置した測位回数と、位置した時刻の区分を表している。
【００３４】
同様に、地点６０４は、会社の位置情報を示す地点である。地点６０３は、メッシュ番号２２２２２２のメッシュ領域に含まれる。地点６０３は、メッシュ番号２２２２２２のメッシュ領域の中心地点である。地点６０３の緯度はＸ２で、経度はＹ２である。メッシュ番号２２２２２２は、「新橋○丁目付近」という大まかな住所とも対応付けられている。表６０６は、メッシュ番号２２２２２２のメッシュ領域にユーザが位置した測位回数と、位置した時刻の区分を表している。
【００３５】
日常圏の設定により、例えば、この曜日の１２時１５分におけるユーザの位置する確率が最も高いのは、図２において、該当する時間区分における測位回数の多い、メッシュ番号２２２２２２のメッシュ領域と特定できる。
【００３６】
Ａ２．現在位置表示処理：
図３は、携帯電話２００が行う現在位置表示処理の流れを示したフローチャートである。まず、ユーザは、コマンド入力部２０６を介して、現在位置を表示すべき旨の指示を携帯電話２００にする（ステップＳ１００）。
【００３７】
ステップＳ１１０では、携帯電話２００の主制御部２１０は、時刻情報を前回生成した時からの経過時間が、時間閾値（本実施形態では１０分）を超過したか否かを判定する。なお、携帯電話２００の主制御部２１０は、ＧＰＳユニット２０１を介して衛星からの電波を受信し、現在位置を表す位置情報と、現在時刻を表す時刻情報とを所定時間の間隔をあけて繰り返し生成している。本実施形態において、所定時間の間隔は、５分と設定されている。
【００３８】
前回、時刻情報を生成した時から時間閾値を超過していない場合には（ステップＳ１１０：Ｎｏ）、主制御部２１０は、前回生成した位置情報を通信部２０５を介して地図情報サーバ１５０に送信する。地図情報サーバ１５０の制御部１５４は、受信した位置情報に基づいて地図情報を生成する。具体的には、位置情報が表す地点を含む所定範囲の地図を表す地図情報を生成する。制御部１５４は、生成した地図情報を、通信部１５２を介して携帯電話２００に送信する。
【００３９】
ステップＳ１２０では、携帯電話２００の主制御部２１０は、受信した地図情報に基づいて、表示パネル２０２に地図を表示する。
【００４０】
図４は、表示パネル２０２の画面の一例を示す図である。ステップＳ１２５では、ユーザは、コマンド入力部２０６を介して、表示パネル２０２に表示された地図が現在地であるか否かを判断する。ユーザによって、表示された地図が現在地であると、コマンド入力部２０６に入力された場合（図４の選択部８００に示す「はい」をユーザに選択された場合）（ステップＳ１２５：Ｙｅｓ）、このフローは終了する。このような処理を行うことにより、ＧＰＳ情報の取得を行わずに、前回生成した位置情報に基づいてユーザが位置する可能性の高い位置情報を表示することができる。
【００４１】
一方、ユーザによって、表示された地図が現在地ではないと、コマンド入力部２０６に入力された場合（図４の選択部８００に示す「いいえ」をユーザに選択された場合）（ステップＳ１２５：Ｎｏ）、処理はステップＳ１３０に進む。なお、ステップＳ１１０において、前回の時刻情報を生成した時からの経過時間が時間閾値を超過している場合についても（ステップＳ１１０：Ｙｅｓ）、処理はステップＳ１３０に進む。
【００４２】
ステップＳ１３０では、主制御部２１０は、携帯電話２００を識別することができる固有のＩＤ情報と、現在時刻とを通信部２０５を介して日常圏情報サーバ１８０に送信する。本実施形態において、この現在時刻は、携帯電話２００において生成された時刻を使用する。
【００４３】
ステップＳ１４０では、日常圏情報サーバ１８０の制御部１８４は、受信した時刻情報と受信したＩＤ情報とから日常圏データベース１８６に格納されている日常圏を特定する。この処理により、ユーザがその時刻に位置する可能性の最も高い場所を、ＧＰＳ情報の取得を行わずに特定することができる。
【００４４】
特定された日常圏の情報は、日常圏情報サーバ１８０の制御部１８４により、通信部１８２を介して地図情報サーバ１５０に送信される。地図情報サーバ１５０の制御部１５４は、受信した日常圏の情報に基づいて地図情報を生成する。日常圏の情報は、代表地点の緯度・経度を表す位置情報を含む。日常圏情報サーバ１８０は、特定された日常圏の代表地点の位置情報を、通信部１８２を介して地図情報サーバ１５０に送る。地図情報サーバ１５０は、位置情報が表す地点を含む所定範囲の地図を表す地図情報を生成する。制御部１５４は、生成した地図情報を、通信部１５２を介して携帯電話２００に送信する。
【００４５】
ステップＳ１５０では、携帯電話２００の主制御部２１０は、受信した地図情報に基づいて、表示パネル２０２に地図を表示する。
【００４６】
ステップＳ１６０では、ユーザは、表示パネル２０２に表示された地図が現在地であるか否かを判断する。表示パネル２０２の画面に表示される画像は、図４の画面と同様である。判断結果は、ユーザにより、コマンド入力部２０６を介して携帯電話２００に入力される。
【００４７】
ユーザによって、表示された地図が現在地であると、コマンド入力部２０６に入力された場合（図４の選択部８００に示す「はい」をユーザに選択された場合）（ステップＳ１６０：Ｙｅｓ）、このフローは終了する。このような処理を行うことにより、ＧＰＳ情報の取得を行わずに、あらかじめ格納されている日常圏の情報に基づいてユーザが位置する可能性の高い位置情報を表示することができる。
【００４８】
一方、ユーザによって、表示された地図が現在地でないと、コマンド入力部２０６に入力された場合（図４の選択部８００に示す「いいえ」をユーザに選択された場合）（ステップＳ１６０：Ｎｏ）、処理はステップＳ１７０に進む。
【００４９】
ステップＳ１７０では、主制御部２１０は、表示された地図が現在地でない旨の情報と時刻情報とＩＤ情報とを、通信部２０５を介して日常圏情報サーバ１８０に送信する。日常圏情報サーバ１８０の制御部１８４は、その旨の情報を受信すると、日常圏データベース１８６に格納されている日常圏の情報から、ユーザの位置する確率の高い位置情報を複数抽出する。制御部１８４は、抽出した日常圏の情報を、通信部１８２を介して携帯電話２００に送信する。送信する日常圏の情報は、具体的には、緯度・経度、住所、ＧＰＳの測位回数などを含む。ユーザの位置する確率の高い位置情報の抽出方法については、携帯電話２００の主制御部２１０から送信された時刻情報における曜日と時間に、過去のユーザが位置した測位回数が多い位置情報について、位置した測位回数が多い順に抽出して行う。なお、ユーザの位置する確率の高い位置情報の抽出方法については、曜日と時間を考慮せず、過去のユーザが位置した測位回数が多い位置情報について、位置した測位回数が多い順に抽出して行ってもよい。
【００５０】
図５は、表示パネル２０２の画面の一例を示す図である。ステップＳ１８０では、携帯電話２００の主制御部２１０は、受信した日常圏の情報のうちの住所の情報を、表示パネル２０２に表示する。住所の情報については、「○丁目付近」という正確さで表示される。表示された位置情報は、ユーザの位置した測位回数が多い順に表示される。
【００５１】
ステップＳ１９０では、ユーザは、表示パネル２０２に表示された位置情報の中で現在位置に最も近い住所の情報を選択部８０１（図５）から選択する。選択は、コマンド入力部２０６を介してユーザにより行われる。選択された住所の情報に対応する位置情報は、主制御部２１０により、通信部２０５を介して地図情報サーバ１５０に送信される。
【００５２】
地図情報サーバ１５０の制御部１５４は、地図データベース１５６から受信した位置情報が表す地点を含む地図情報を生成する。生成した地図情報は、制御部１５４により、通信部１５２を介して携帯電話２００に送信される。
【００５３】
携帯電話２００の主制御部２１０は、受信した地図情報に基づいて、表示パネル２０２
に地図を表示することにより、フローは終了する。以上の処理により、ＧＰＳによる測位を行わずに、現在位置周辺の地図を表示することができる。また、ビルの谷間や地下にユーザがいる場合においても、携帯電話２００の基地局と交信できる限り、現在位置情報を取得するのに掛かる時間は変わらない。このため、ＧＰＳによる測位が困難な場合において、ＧＰＳによる測位を用いた場合よりも短い時間で処理が可能となり、携帯電話２００の電力消費も節約できる。この処理によれば、自宅や職場などをユーザにより事前に設定する必要もない。このため、ユーザの手間についても軽減できる。
【００５４】
なお、本実施形態における「ＧＰＳユニット２０１」は、課題を解決するための手段における「位置情報生成部」に相当する。「コマンド入力部２０６」は、「ユーザ操作部」に相当する。「表示パネル２０２」は、「画像表示部」に相当する。「日常圏情報サーバ１８０」は、「外部サーバ」に相当する。「ＩＤ情報」は、「ユーザの識別番号」に相当する。「測位回数」は、「頻度の情報」に相当する。「選択部８００」は、「前記日常圏の情報に基づいて表示された地図が現在位置周辺の地図であるか否かの入力をユーザに促す確認画像」に相当する。「選択部８０１」は、「他の複数の前記日常圏を表す文字情報を前記画像表示部に表示して、前記日常圏の選択を促す画像」に相当する。
【００５５】
Ｂ．変形例：
なお、この発明は、上記の実施形態に限られるものではない。この発明は、その要旨を逸脱しない範囲において様々な態様において実施することが可能であり、例えば次のような変形についても可能である。
【００５６】
Ｂ１．変形例１：
上記実施形態は、ＧＰＳ情報の取得が可能な場合には、ＧＰＳ情報を取得して現在位置情報を取得する方法と併用してもよい。具体的には、ＧＰＳ情報の取得が困難という第１の条件が満たされた場合は、日常圏の情報を使用して現在位置を表示する方法を用い、ＧＰＳ情報の取得が可能という第２の条件が満たされた場合は、ＧＰＳ情報を取得して現在位置を表示する方法を用いるとしてもよい。
【００５７】
Ｂ２．変形例２：
上記実施形態では、ＧＰＳを利用する態様について説明したが、現在位置の情報の生成は、ＧＬＯＮＡＳＳ（ＧｌｏｂａｌＮａｖｉｇａｔｉｏｎ Ｓａｔｅｌｌｉｔｅ Ｓｙｓｔｅｍ）、ＧａｌｉｌｅｏなどのＧＰＳ以外の他の衛星測位システム（Ｓａｔｅｌｌｉｔｅ  Ｎａｖｉｇａｔｉｏｎ  Ｓｙｓｔｅｍ）、言い換えれば、世界的航法衛星システム（ＧＮＳＳ：Ｇｌｏｂａｌ  Ｎａｖｉｇａｔｉｏｎ  Ｓｙｓｔｅｍ）によってもよい。また、たとえば、移動端末における位置情報の生成は、携帯電話の基地局のみに基づいて、行ってもよい。そのような態様においては、移動端末は、世界的航法衛星システムの受信装置を備えない態様とすることができる。さらに、移動端末において位置情報を生成する構成要素は、複数の方式、たとえば、衛星測位システムを利用した方式と、携帯電話の基地局を利用する方式を併用する態様とすることもできる。
【００５８】
Ｂ３．変形例３：
上記実施形態では、ステップＳ１３０において登場する現在時刻は、携帯電話２００に表示されている時刻を使用する。しかし、日常圏情報サーバ１８０に現在時刻を生成する機能を持たせることにより、現在時刻の送信をしない構成としてもよい。
【００５９】
Ｂ４．変形例４：
上記実施形態において、日常圏の情報を集計する期間を４週間としているが、本発明はこれに限られない。集計する期間は、４週間ではなく半年や１年などを単位としてもよい。
【００６０】
日常圏の情報は、曜日ごとに区分されているが、本発明はこれに限られない。日常圏の情報は、例えば、休日と平日とに区分してもよい。また、日常圏の情報は、１日２４時間を３０分ごとに区分しているが、本発明はこれに限られない。日常圏の情報は、例えば、１５分ごとに区分してもよく、１時間ごとに区分してもよい。
【００６１】
Ｂ５．変形例５：
上記実施形態において、日常圏の情報は、携帯電話２００から通信された位置情報に基づいて生成されている。しかし、本発明はこれに限られない。携帯電話２００以外にＧＰＳ情報を取得する装置をユーザに携帯させ、その装置から通信された位置情報に基づいて日常圏の情報を生成してもよい。また、本実施形態において、位置情報と時刻情報は、５分ごとに生成されるが、本発明はこれに限られない。例えば、１０分ごとに位置情報と時刻情報とを生成させてもよい。
【００６２】
Ｂ６．変形例６：
上記実施形態において、ステップＳ１１０における時間閾値を１０分としたが、本発明はこれに限られない。時間閾値は、例えば、５分としてもよい。
【００６３】
Ｂ７．変形例７：
上記実施形態において、日常圏情報サーバ１８０を外部サーバとしたが、本発明はこれに限られない。携帯電話２００の中に、日常圏データベース１８６を内蔵する形態としてもよい。
【００６４】
Ｂ８．変形例８：
上記実施形態において、ステップＳ１７０では、ユーザの位置する確率が高い住所を一覧で表示しているが、本発明はこれに限られない。ステップＳ１７０において、ユーザの位置する確率が、ステップＳ１５０で表示した場所の次に高い場所を地図として表示してもよい。
【００６５】
Ｂ９．変形例９：
上記実施形態において、ステップＳ１７０では、ユーザの位置する確率が高い住所を、確率の高い順番に表示しているが、本発明はこれに限られない。ステップＳ１７０において、前回測位した位置から近い住所の順で表示してもよい。
【００６６】
Ｂ１０．変形例１０：
上記実施形態において、タッチパネル２０６ａは抵抗膜方式を採用しているが、本発明はこれに限られない。タッチパネル２０６ａとして、表面弾性波方式や、赤外線方式や、電磁誘導方式や、静電容量方式などを採用してもよい。
【符号の説明】
【００６７】
１５０…地図情報サーバ
１５２…通信部
１５４…制御部
１５６…地図データベース
１８０…日常圏情報サーバ
１８２…通信部
１８４…制御部
１８６…日常圏データベース
２００…携帯電話
２０１…ＧＰＳユニット
２０２…表示パネル
２０３…音声出力部
２０４…振動機構
２０５…通信部
２０６…コマンド入力部
２０６ａ…タッチパネル
２０６ｂ…カーソルキー
２１０…主制御部
２１１…ＣＰＵ
２１２…ＲＡＭ
２１３…ＲＯＭ
２２０…通話制御部
６０１…地点
６０２…地点
６０３…地点
６０４…地点
６０５…表
６０６…表
８００…選択部
８０１…選択部
１１１１１１…メッシュ番号
２２２２２２…メッシュ番号
ＩＮＴ…インターネット
【図１】
2014106170.tif 000003
【図２】
2014106170.tif 000004
【図３】
2014106170.tif 000005
【図４】
2014106170.tif 000006
【図５】
2014106170.tif 000007